(57)【特許請求の範囲】
【請求項１】
土台に大引きを直交方向に胴付け接合する際に用いるものであって、長方形状の金属板を折曲して、前記大引きを載せる載置部片と該載置部片の両側に相対して立設した大引き側止着部片とで大引き抱持枠を構成し、該大引き抱持枠の大引き側止着部片の上端部に、長方形状の金属板を折曲して接続部片と土台側止着部片を互いに直交方向に配して構成したＬ形枠の前記接続部片を重ね合わせて鋲着すると共に、前記大引き側止着部片と土台側止着部片側には前記大引き又は土台に止着する止着杆の挿通孔を設けた、大引き受金物。
【発明の詳細な説明】
【技術分野】
【０００１】
本発明は、土台に対し大引きを直交方向に胴付け接合する際に用いる、木造軸組装置の大引き受金物に関するものである。
【背景技術】
【０００２】
土台に対し大引きを胴付け接合するには、土台側に釘着した大引き受金物に、大引きの端部を抱持させる手段が採られ、該大引き受金物には種々の態様のものがあるが、鋼製金属板をプレス成形して得ているのが一般である（例えば、特許文献１）。
【先行技術文献】
【特許文献】
【０００３】
【特許文献１】特開平１０−８８６６８号公報
【特許文献２】特開平１０−２５２１４６号公報
【発明の概要】
【発明が解決しようとする課題】
【０００４】
大引き受金物は、土台に大引きを胴付け接合し易くするために用いるため、土台に釘着する土台側止着部片と大引きに釘着する大引き側止着部片を備えており、これら止着部片は、止着する方向が異なるため、金属板をプレス成形するには、素材である金属板を複雑な形に打抜いて得た構成板を屈曲して形成せざるを得ない。すなわち、従来の大引き受金物は、金属板を複雑な形に打抜いて得ていたので、素材である金属板に無駄な部分（切り屑）が出、その処理が煩雑で、費用もかかり、解決策が望まれていた。
【０００５】
本発明は、その解決策の一つを提案するものである。
【課題を解決するための手段】
【０００６】
土台に大引きを直交方向に胴付け接合する際に用いるものであって、長方形状の金属板を折曲して、前記大引きを載せる載置部片と該載置部片の両側に相対して立設した大引き側止着部片とで大引き抱持枠を構成し、該大引き抱持枠の大引き側止着部片の上端部に、長方形状の金属板を折曲して接続部片と土台側止着部片を互いに直交方向に配して構成したＬ形枠の前記接続部片を重ね合わせて鋲着すると共に、前記大引き側止着部片と土台側止着部片側には前記大引き又は土台に止着する止着杆の挿通孔を設けた構成とするものである。
【０００７】
なお、ここで鋲着とは鳩目に限らず、大引き側止着部片と土台側止着部片のいずれか一方にバーリングにより筒体を得、該筒体を他方に挿通させてかしめるようにしても良い。これら鳩目等で取り囲む透孔は実施例のように止着杆の挿通孔として用いると良い。
【発明の効果】
【０００８】
本発明によれば、素材である金属板を長方形状に打抜いた構成板を用いて形成するものであるから、素材である金属板を殆ど無駄なく活用でき、従って、材料的に安価な製品を提供できる。
【図面の簡単な説明】
【０００９】
【図１】正面図。
【図２】平面図。
【図３】側面図。
【図４】大引き抱持枠とＬ形枠の関係を示す分解正面図。
【図５】使用状態を示す平面図。
【図６】使用状態を示す断面図。
【図７】第二実施例の大引き抱持枠とＬ形枠の関係を示す分解正面図。
【図８】第二実施例の側面図。
【発明を実施するための形態】
【００１０】
本発明に係る大引き受金物Ａは、大引き抱持枠１とＬ形枠２を互いに組付けて構成する。
【００１１】
大引き抱持枠１は、素材である方形状の金属板を切断して得た長方形状（帯状）の構成板（金属板）を屈曲して、中央の載置部片３と該載置部片３の両側に相対して立設した一対の大引き側止着部片４，４とで成るコ形枠体で構成し、また、前記Ｌ形枠２は、大引き抱持枠１と同様に素材である方形状の金属板を切断して得た長方形状（帯状）の構成板（金属板）を二つ折りに屈曲して、互いに直交方向に配した接続部片５と土台側止着部片６とで構成する。
【００１２】
そして、大引き受金物Ａは、大引き抱持枠１の大引き側止着部片４の上端部の外側面（内側面でも良く、この場合、後記する筒体１０ＡはＬ形枠２側に設けると良い）に、Ｌ形枠２の接続部片５を、土台側止着部片６側の基端部を残してその自由端側の先端部において部分的に重ね合わせ、これらを透孔７´に挿通させた鳩目１０で互いに止着して、大引き抱持枠１（大引き止着部片４）の上端部に土台側止着部片６が翼状に直角方向に突出する構造のものとし、各止着部片４，６には大引き３０や土台４０に釘（実施例ではねじ釘を用いているが、要は棒杆状の止着杆であれば良い）ｎの挿通用透孔７，…を設けたものである。
【００１３】
なお、大引き止着部片４の上端部と接続部片５の重なり合う部にも同様の透孔７（図面上、符号７Ａで表示し、鳩目１０で構成する）を設け、該当孔７Ａに釘ｎを挿通させ、その先端を大引き３０内に差し込むことによって両枠１，２は堅固に組付けられ、大引き受金物Ａは、大引き３０に尚一層確実に固定される。
【００１４】
大引き受金物Ａを用いて大引き３０を土台４０に胴付け接合するには、大引き３０の先端部を大引き抱持枠１部に係合して受金物Ａを大引き３０に組合わせ、大引き抱持枠１側に設けた透孔７，７Ａに釘ｎを挿通させて該受金物Ａを大引き３０の先端部に固着する。
【００１５】
そして、大引き受金物Ａを固定した大引き３０の先端部を土台４０の所定の側面に突き当て、土台側止着部片６に設けた透孔７，…を利用して釘ｎを土台４０に打込むことによって、大引き３０は土台４０に接合される。
【００１６】
なお、大引き止着部片４に対しＬ形枠２の接続部片５を、図６で示すように、その自由端部側のみにおいて重ね合わせて接続するようにして大引き抱持枠１部に対してＬ形枠２の一部がＬ形状に突出するようにすると、大引き３０の土台４０に対する接合時に、大引き止着部片４が基礎コンクリート５０に干渉されることなく位置し、基礎コンクリート５０の係合切欠ａを大引き３０に形成することができ、従って、大引きを土台に接合するに汎用性の有る接合金具を得ることができる。
【００１７】
図７および図８は第二実施例を示し、この第二実施例は、鳩目１０に換えて大引き抱持枠１側にバーリング加工により筒体１０Ａを設け、Ｌ形枠２側に設けた透孔に釘ｎの挿通用透孔７Ａを構成する前記筒体１０Ａを挿通してかしめることによって両枠１，２を互いに組付けたものである。これらの組付けは鳩目１０等に換えてリベット止めでも、必ずしも不都合はない（リベットを用いた場合は、接続部片５と止着部片４とが重なり合う部分に釘用の透孔７を設ける必要がある）。
【符号の説明】
【００１８】
１      大引き抱持枠
２      Ｌ形枠
３      載置部片
４      大引き側止着部片
５      接続部片
６      土台側止着部片
３０    大引き
４０    土台
【図１】
0005548103.tif 000002
【図２】
0005548103.tif 000003
【図３】
0005548103.tif 000004
【図４】
0005548103.tif 000005
【図５】
0005548103.tif 000006
【図６】
0005548103.tif 000007
【図７】
0005548103.tif 000008
【図８】
0005548103.tif 000009